(57)【要約】【課題】物干し台機能を兼備して狭いベランダやテラスの有効利用を図れ、また居間から洗濯物を見えなくする目隠し機能を発揮できて居間からの景観を良好にし、さらに置き場所を自由自在に変えることのできる物品収納庫を提供する。【解決手段】正面開口部１に扉２を開閉可能に備えている箱型の収納庫本体３と、この収納庫本体３の背面側に取り付けた物干しバー４からなり、収納庫本体３の底部にはキャスター５を取り付けている。ベランダやテラスには正面の扉２が居間側に向くように設置される。【選択図】    図１
2004242943.tif 000002
【特許請求の範囲】
【請求項１】
正面開口部に扉を開閉可能に備えている箱型の収納庫本体と、この収納庫本体の背面側に取り付けた物干しバーからなり、前記収納庫本体の底部にはキャスターを取り付けていることを特徴とする、ベランダ等に使用される物品収納庫。
【請求項２】
前記物干しバーが収納庫本体の背面側に着脱可能に取り付けられている、請求項１記載のベランダ等に使用される物品収納庫。
【請求項３】
前記物干しバーが収納庫本体の背面側に取り付け高さ調整可能に取り付けられている、請求項２記載のベランダ等に使用される物品収納庫。
【発明の詳細な説明】
【０００１】
【発明の属する技術分野】
本発明は、ベランダやテラス等に好適に使用される物品収納庫に関する。
【０００２】
【従来の技術】
ベランダやテラスは洗濯物や布団等を干したり、掃除具、園芸用品、灯油、大工道具、雑具等の各種物品を収納する物品収納庫を設置したりする場所として利用される。物品収納庫としては、一般に、箱型の収納庫本体の正面開口部に開閉扉を備えたものがある（例えば、特許文献１参照。）。
【０００３】
【特許文献１】
特開２００１−２９５５４１号公報
【０００４】
【発明が解決しようとする課題】
しかるに、ひとつのベランダやテラスに物干し台と物品収納庫とがそれぞれ別々に据え置かれていると、狭いベランダやテラスの有効利用が図れず、洗濯物や布団を干すときに物品収納庫が邪魔になったり、反対に物品収納庫に物品を出し入れするときに洗濯物や布団が邪魔になったりする場合がある。また、ベランダやテラスに干してある洗濯物は居間から丸見えであるために、居間からの景観を損ない、居間でのリラックス感が得られないことがある。
【０００５】
本発明は、このような問題を解消するためになされたものであり、その目的とするところは、物干し台機能を兼備させることにより狭いベランダやテラスの有効利用を図れ、また居間から洗濯物を見えなくする目隠し機能を発揮できて居間からの景観を良好にし、さらに移動容易にして配置や方向を変換自在とする物品収納庫を提供することにある。
【０００６】
【課題を解決するための手段】
本発明は、正面開口部に扉を開閉可能に備えている箱型の収納庫本体と、この収納庫本体の背面側に取り付けた物干しバーからなり、前記収納庫本体の底部にはキャスターを取り付けていることに特徴を有するものである。
この場合において、前記物干しバーは収納庫本体の背面側に着脱可能に取り付けることができる。また、前記物干しバーは収納庫本体の背面側に取り付け高さ調整可能に取り付けることができる。
【０００７】
【作用】
上記構成の物品収納庫は、ベランダやテラス等に正面の扉が居間側に向くように設置される。収納庫本体はこれの背面側に取り付けている物干しバーに洗濯物や布団等を干すことができるという物干し台機能を兼備しているので、ベランダやテラスの狭い場所を設置面積少なくして洗濯干し場と物置き場の両方に有効に利用することができる。
【０００８】
洗濯物や布団は収納庫本体の背面側の物干しバーに干すことにより居間から見えなくなるため、居間からの景観を損なうようなことが無くなる。
【０００９】
収納庫本体の底部にはキャスターを取り付けてベランダやテラス等内において任意場所に容易に移動、変向できるようにしてあるので、たとえば、布団等の大きな物を干す時などに邪魔にならないように、また居間に採光しやすいように太陽の動きに合わせて自由自在に置き場所や向きを変えることができる。
【００１０】
【発明の実施の形態】
本発明の好適な実施形態を図面に基づき説明する。図１は一実施例の物品収納庫を正面側から見た斜視図、図２は図１の物品収納庫を背面側から見た斜視図、図３は図１の物品収納庫の物干しバーの取り付け態様例を示す斜視図、図４は図１の物品収納庫をベランダに設置した状態の側面図である。
【００１１】
本発明に係る物品収納庫は、図１、図２に示すように、掃除具、園芸用品、灯油、大工道具、雑具等の各種物品を出し入れ可能にする正面開口部１を有し、この正面開口部１に扉２を開閉可能に備えている箱型の収納庫本体３と、この収納庫本体３の背面側に取り付けた物干しバー４からなる。収納庫本体３は移動できるようにその底部にキャスター５を取り付けている。キャスター５にはブレーキ付きのキャスターが使用される。
【００１２】
図４のようにベランダＶやテラスに設置されるとき、居間Ｒ側に向けられる扉２および収納庫本体３の表面は木目柄等の心が休まるインテリア調の素材やデザインで構成される。扉２は、３枚もしくは２枚の引戸式にすること、または観音開き式などにすることは任意である。収納庫本体３の側面や背面には、物干しバー４に洗濯物を干すときの便宜を図るために洗濯ばさみ等の小物入れ用の引出し６を設けることができる。
【００１３】
物干しバー４は、収納庫本体３の背面側の或る個所から外方へ張り出し状態にブラケット７を介して定着固定したり、あるいは不使用の場合や洗濯物ごと部屋の中に移したい場合にそなえて取り外すことができるように着脱可能に取り付けたりすることができる。また、例えば、図３に示すように、収納庫本体３の背面に複数の取付孔８を縦方向に所定ピッチで列設し、その任意の取付孔８にブラケット７のフック形の基部を係脱可能に引掛ける等の取付手段を採用することによって、洗濯物の丈などに応じて物干しバー４を任意高さ位置に可変調整できるようにするもよい。
【００１４】
収納庫本体３の背面の下端側には、洗った靴等を載置して干すことができるように棚９を取り付けることもできる。
【００１５】
【発明の効果】
本発明の物品収納庫によれば、背面側に物干しバーを取り付けて物干し台を兼備しているので、ベランダやテラスの狭いスペースの有効利用を図ることができる。また、この物品収納庫は居間から洗濯物が見えないように目隠し機能を発揮できるので、洗濯物等の干し物によって居間からの景観が損なわれるようなことがなくなるという利点がある。更に、この物品収納庫はキャスターを付けて移動可能にしてあるため、布団等の大きな物を干す時は邪魔にならないように、また居間に採光しやすいように太陽の動きに合わせて自由自在に置き場所や向きを変えることができて有利である。
【図面の簡単な説明】
【図１】一実施例の物品収納庫を正面側から見た斜視図である。
【図２】図１の物品収納庫を背面側から見た斜視図である。
【図３】図１の物品収納庫の物干しバーの取り付け態様例を示す斜視図である。
【図４】図１の物品収納庫をベランダに設置した状態の側面図である。
【符号の説明】
１  正面開口部
２  扉
３  収納庫本体
４  物干しバー
５  キャスター
【図１】
2004242943.tif 000003
【図２】
2004242943.tif 000004
【図３】
2004242943.tif 000005
【図４】
2004242943.tif 000006